(57)【特許請求の範囲】
【請求項１】
便器本体と、開閉弁と、手動ハンドルとを有し、該手動ハンドルの揺動により該開閉弁が開放されて該便器本体の洗浄が可能な水洗式便器において、
前記手動ハンドルには接触又は微小な角度変位を検出する検出手段が設けられ、該検出手段の検出信号により少なくとも前記開閉弁の開放がアシストされるように構成されている水洗式便器。
【請求項２】
手動ハンドルは検出手段の検出信号により揺動がアシストされるように構成されていることを特徴とする請求項１記載の水洗式便器。
【請求項３】
使用者はアシスト時を知り得るようになっている請求項１又は２記載の水洗式便器。
【請求項４】
便器洗浄タンクを有さず、給水管から直接供給される洗浄水を開放された開閉弁が給水して便器本体の洗浄が可能な便器洗浄装置を有し、手動ハンドルは該便器洗浄装置に設けられていることを特徴とする請求項１、２又は３記載の水洗式便器。
【発明の詳細な説明】
【０００１】
【発明の属する技術分野】
本発明は揺動により便器本体の洗浄が可能な手動ハンドルを有する水洗式便器に関する。
【０００２】
【従来の技術】
一般的な水洗式便器では、水道管等の給水管から供給される洗浄水を一旦貯留する便器洗浄タンクを有している。この便器洗浄タンクには手動ハンドルが揺動可能に設けられており、使用者がその手動ハンドルを手動操作で揺動させると、手動ハンドルで引っ張られたチェーンが便器洗浄タンクの底に設けられている弁を持ち上げ、開放状態とする。これにより、便器洗浄タンク内の洗浄水が便器本体に供給され、便器本体の洗浄が行われる。
【０００３】
こうして、手動ハンドルを手動操作で揺動させる場合、弁に作用している水圧に抗して手動ハンドルを揺動させる必要があるため、それは、ある程度の力を要し、力がかなり弱っている老人や重病人にとっては、必ずしも操作性が良いものではない。
【０００４】
このため、近年、手動ハンドルを自動的に駆動させる電動モータを便器洗浄タンクに取り付けると共に、便器本体から離れたトイレ壁に便器洗浄用スイッチを手動ハンドルとは独立させて別個に設けた水洗式便器も開発されている。こうした水洗式便器では、用便後に便器本体から離れた使用者がトイレ壁の便器洗浄用スイッチを押圧操作すれば、電動モータが駆動して手動ハンドルを自動的に揺動させ、便器本体の洗浄を行うことができる。この場合、便器洗浄用スイッチの押圧操作にはさほどの力も要しないため、優れた操作性を発揮することができる。
【０００５】
【発明が解決しようとする課題】
しかし、上記水洗式便器では、便器本体から離れたトイレ壁に便器洗浄用スイッチを手動ハンドルとは独立させて別個に設けているため、使用者が不慣れであれば、便器洗浄用スイッチの存在に気づかない場合がある。この場合、便器洗浄用スイッチ等があるにもかかわらず、その者は手動ハンドルを手動操作してしまい、結局、操作性の利点が充分に発揮されないこととなってしまう。
【０００６】
特に、本出願人は、近年、設置スペース等の利点を考慮し、便器洗浄タンクを有さないタンクレス便器を開発しつつある。このタンクレス便器は、給水管から直接供給される洗浄水で便器本体の洗浄が可能な便器洗浄装置を有することから、従来の便器洗浄タンク内の洗浄水の給水を行う意味での手動ハンドルは不要となり、不慣れな使用者をさらに戸惑わせることも考えられる。
【０００７】
また、かかるタンクレス便器の便器洗浄装置として、給水管と便器本体との間で洗浄水の供給・停止を行う開閉弁と、この開閉弁を開閉させるカム装置と、使用者の便器洗浄用スイッチの操作に基づいてそのカム装置を作動させ得る電動モータとを有するものを採用した場合には、停電時等の非常用として、カム装置を手動で回動させるための手動ハンドルを予備的に併有することが有効である。不慣れな使用者は、仮に停電時でない場合でも、その手動ハンドルが便器本体を洗浄するためのものであると勘違いすることも十分考えられる。その場合には、手動ハンドルでカム装置を手動で作動させるべく大きな力を要し、使用者に重操作感を抱かせることとなるおそれがある。
【０００８】
本発明は、上記した実情に鑑みてなされたものであり、不慣れな使用者でも優れた操作性で便器本体の洗浄が可能な水洗式便器を提供することを解決すべき課題としている。
【０００９】
【課題を解決するための手段】
本発明の水洗式便器は、便器本体と、開閉弁と、手動ハンドルとを有し、該手動ハンドルの揺動により該開閉弁が開放されて該便器本体の洗浄が可能な水洗式便器において、
【００１０】
前記手動ハンドルには接触又は微小な角度変位を検出する検出手段が設けられ、該検出手段の検出信号により少なくとも前記開閉弁の開放がアシストされるように構成されていることを特徴とする。
【００１１】
本発明の水洗式便器では、例え使用者が不慣れで、仮に他にある便器洗浄用スイッチの存在に気づかない場合でも、使用者が手動ハンドルに軽く操作すれば、使用者が手動ハンドルへ接触したこと又は手動ハンドルを微小角度変位をさせたことを検出手段が検出し、これにより開閉弁の開放がアシストされ、便器本体の洗浄が行われる。
【００１２】
したがって、本発明の水洗式便器では、不慣れな使用者でも優れた操作性で便器本体の洗浄が可能である。
【００１３】
本発明の水洗式便器では、手動ハンドルは検出手段の検出信号により揺動がアシストされるように構成されていることが好ましい。こうであれば、不慣れな使用者であっても、揺動する手動ハンドルには視覚的又は触覚的に気がつくことから、必要以上に手動ハンドルを回そうとすることもなくなる。したがって、手動ハンドルを無理やり回したことを原因とする誤動作や故障を防ぐこともできる。
【００１４】
本発明の水洗式便器では、使用者がアシスト時を知り得るようになっていることも好ましい。こうであれば、その使用者が必要以上に手動ハンドルを回そうとすることを確実に防止できる。なお、使用者がアシスト時を知り得るようにするための手段としては、断続的な電子音等の音を発生させたり、光を点滅させること等を採用することができる。
【００１５】
本発明の水洗式便器は、便器洗浄タンクを有さず、給水管から直接供給される洗浄水を開放された開閉弁が給水して便器本体の洗浄が可能な便器洗浄装置を有する場合、手動ハンドルが便器洗浄装置に設けられていることが好ましい。こうであれば、不慣れな使用者を戸惑わせることがないからである。
【００１６】
また、かかるタンクレス便器の便器洗浄装置として、給水管と便器本体との間で洗浄水の供給・停止を行う開閉弁と、この開閉弁を開閉させるカム装置と、使用者の便器洗浄用スイッチ操作に基づいてそのカム装置を作動させ得る電動モータとを有するものを採用した場合、停電時等の非常用として、カム装置を手動で回動させるための手動ハンドルを予備的に併有するのであれば、その手動ハンドルに検出手段を設け、その検出手段の検出信号により少なくとも開閉弁の開放がアシストされるようになっていることが好ましい。こうであれば、停電時等の非常時には、ある程度の力を要するものの、その手動ハンドルで便器本体の洗浄が可能であるとともに、停電時でない場合、不慣れな使用者の重操作感を回避することができる。
【００１７】
また、本発明に係る水洗式便器は、水道管等の給水管から供給される洗浄水を便器本体に流す前に一旦貯留する便器洗浄タンクをもつタンク式の水洗式便器に適用することもできる。この場合には、便器洗浄タンクの外面に設けられる手動ハンドルに検出手段を設け、その検出手段の検出信号により少なくとも開閉弁の開放がアシストされるように構成され得る。
【００１８】
検出手段としては、使用者による手動ハンドルの接触又は物理的変位を検出するセンサで構成することができる。このセンサとしては、使用者による手動ハンドルの接触を検出する感圧センサ、使用者による手動ハンドルの初期作動時のトルクを検出するトルクセンサ、使用者による手動ハンドルの初期作動を光で検出する光センサ等を採用することができる。光センサとしては、例えば、発光素子及び受光素子を備え、両者間の障害物（手動ハンドル）の存在を検出するフォトインタラプタを採用することができる。
【００１９】
手動ハンドルの揺動を検出手段の検出信号によりアシストするためには、駆動装置及びコントローラを採用することができる。駆動装置は、開閉弁を開放させるものであり、開閉弁を開放させる電動モータを備えることができる。例えば、駆動装置は、便器本体への洗浄水の供給・停止を行うために開閉弁を開閉するカム装置と、このカム装置を作動させる電動モータとを備えているものを採用することができる。また、コントローラは、検出手段の検出信号に基づいて駆動装置を作動させるものであり、ＣＰＵをもつ回路で構成することができる。
【００２０】
【発明の実施の形態】
以下、本発明を具体化した実施形態１、２を図１〜６を参照しつつ説明する。
【００２１】
（実施形態１）
まず、実施形態１の水洗式便器について説明する。図１及び図２に示すように、この水洗式便器は便器洗浄タンクを有さないタンクレス方式のものである。
【００２２】
便器本体１は、排泄物を受けるボウル部１０をもつ便鉢１１と、ボウル部１０の上部周縁に巡らされたリム通水路１２を有するリム１３と、ボウル部１０の底に連通し、排泄物を流すトラップ部１４とを備えている。トラップ部１４の入口にはジェットノズル１５が取り付けられている。
【００２３】
便器本体１には、ジェットノズル１５に給水するジェット用導管１８と、リム通水路１２に給水するリム用導管１９とが設けられている。トイレ壁には水道管等の給水管１００が配管されており、給水管１００に止水栓１０２が取り付けられている。なお、図１及び図２では便蓋及び便座の図示は省略されている。
【００２４】
図２に示すように、便器本体１の後部の幅方向の片側には、便器洗浄用の洗浄水と他の用途の洗浄水とに分水するための分岐装置２が設けられている。分岐装置２は、フレキシブルホース２１により止水栓１０２に接続されている。分岐装置２と便器洗浄装置３とは給水導管２３で連通しており、止水栓１０２から供給され、分岐装置２で分岐された洗浄水は、給水導管２３を介して便器洗浄装置３に供給される。
【００２５】
便器洗浄装置３は、便器本体１の後部に保持されたベースプレート３１に組み込まれており、カバー３２により覆われて隠蔽されている。便器洗浄装置３は、リム通水路１２に給水するリム用の開閉弁４Ｒと、ジェットノズル１５に給水するジェット用の開閉弁４Ｊと、開閉弁４Ｒ、４Ｊを開閉するためのカム装置８とを備えている。２個の開閉弁４Ｒ、４Ｊは互いに隣接して配置されている。
【００２６】
ジェット用の開閉弁４Ｊの内部構造を図３に示す。ジェット用の開閉弁４Ｊは、洗浄水を取り込む入水ポート４２と洗浄水を吐き出す出水ポート４３とを有する弁ハウジング４１と、弁ハウジング４１に設けられた弁機構４５とを有する。弁ハウジング４１の内部には、入水ポート４２及び出水ポート４３に連通するピストン室４４が形成されている。開閉弁４Ｊの弁機構４５は、ピストン室４４に摺動可能に設けられたピストン４６と、弁ハウジング４１の上端から上方に突出するようにピストン４６の一端面（上端面）に同軸的に固定されたシャフト４７とで構成されている。ピストン室４４内には圧力相殺室５０が形成されている。圧力相殺室５０はピストン４６に形成された複数本の連通路５１を介して出水ポート４３側に連通している。圧力相殺室５０には付勢手段としてのバネ５２が配置されている。バネ５２は弁ハウジング４１とピストン４６の他端面４６ｂとの間に介装され、ピストン４６を常時矢印Ｙ１方向つまり上方に付勢し、入水ポート４２と出水ポート４３との連通を閉じるようになっている。シャフト４７の先端部は弁ハウジング４１から上方に突出し、カム装置８により下方に押圧可能となっている。
【００２７】
リム用の開閉弁４Ｒの内部構造は、ジェット用の開閉弁４Ｊの内部構造と実質的に同一であるため、説明を省略する。弁ハウジング４１に形成されたリング状の中間連通路５４を介し、ジェット用の開閉弁４Ｊの入水ポート４２とリム用の開閉弁４Ｒの入水ポート４２とは互いに連通している。
【００２８】
カム装置８は、開閉弁４Ｒ、４Ｊの上方に配置されたブラケット８２に保持されている。カム装置８は、ブラケット８２に水平状態で回転可能に保持された回転体としての回転軸８３と、回転軸８３にこれの軸直角方向に突出するように設けられた第１カム８５及び第２カム８６とを備えている。回転軸８３が回転すると、第１カム８５及び第２カム８６は回転し、第１カム８５の外周のカム面はリム用の開閉弁４Ｒのシャフト４７に当接してこれを下方に移動させるとともに、第２カム８６の外周のカム面はジェット用の開閉弁４Ｊのシャフト４７に当接してこれを下方に移動させる。
【００２９】
駆動装置７はブラケット８２に固定されており、電動モータ７１と、電動モータ７１の回転力を回転軸８３に伝達する図略の減速ギアとを内蔵している。駆動装置７は、手動ハンドル７５を揺動させたり、カム装置８を作動させたりして開閉弁４Ｒ、４Ｊを開弁させるものである。
【００３０】
回転軸８３の軸端には、使用者が手動操作で回動させる手動ハンドル７５が設けられている。手動ハンドル７５は、停電時等のように非常時にカム装置８を手動で作動させて開閉弁４Ｒ、４Ｊを開閉させるものである。
【００３１】
手動ハンドル７５には、検出手段として機能するハンドルセンサ７７が設けられている。ハンドルセンサ７７は、使用者が手動ハンドル７５に接触したり、手動ハンドル７５に微小な角度変位が生じたりすることを検出するものであり、感圧式のタッチセンサで構成されている。
【００３２】
図１及び図２に示すカバー３２と一体的なハウジングには、図４に示す便器洗浄用スイッチ９６が設けられている。便器洗浄用スイッチ９６は、便座に着座している使用者により押圧操作され、電動モータ７１を駆動させて便器本体１の便鉢１１の洗浄を通常モードとして行うものである。
【００３３】
コントローラ９は、入力信号を処理する入力処理回路９０と、入力処理回路９０からの信号に基づいて信号を出力するＣＰＵを内蔵する制御処理回路９１と、制御処理回路９１からの信号に基づいて制御信号を出力する出力処理回路９２と、プログラム及びデータを格納するメモリ９３とを有する。コントローラ９の入力処理回路９０には、便器洗浄用スイッチ９６からの洗浄開始信号Ｓ１と、ハンドルセンサ７７からのタッチ信号Ｓ２とが入力される。使用者が便器洗浄用スイッチ９６を押圧操作すると、便器洗浄用スイッチ９６から洗浄開始信号Ｓ１がコントローラ９に入力される。洗浄開始信号Ｓ１に基づいて、コントローラ９の出力処理回路９２からモータ制御信号Ｓ１０がモータ駆動回路７１ｃに入力され、電動モータ７１が制御される。
【００３４】
また、使用者の指先が手動ハンドル７５に接触すると、ハンドルセンサ７７からタッチ信号Ｓ２がコントローラ９に入力される。タッチ信号Ｓ２に基づいて、コントローラ９の出力処理回路９２からモータ制御信号Ｓ１０と断続音発生信号Ｓ２０が発生する。モータ制御信号Ｓ１０はモータ駆動回路７１ｃに入力され、電動モータ７１が制御される。断続音発生信号Ｓ２０は電子音発生回路７２ｃに入力され、電子音発生装置７２が作動し、断続した電子音が発生する。
【００３５】
上記のように構成されたタンクレスの水洗式便器の便器本体１では、給水管１００、止水栓１０２、フレキシブルホース２１、分岐装置２及び給水導管２３を経て、洗浄水が便器洗浄装置３に供給される。便器洗浄装置３では、便鉢１１の洗浄を行おうとする使用者の便器洗浄用スイッチ９６の操作がない限り、両開閉弁４Ｊ、４Ｒが閉弁している。つまり、図３で説明すれば、バネ５２の付勢力により、ピストン４６が軸方向の一方側、つまり矢印Ｙ１方向に移動し、ピストン４６は弁ハウジング４１の座面４１ｘに着座し、ピストン４６の外周面が入水ポート４２を閉鎖する。このため、入水ポート４２と出水ポート４３との連通が閉じられており、洗浄水は便器本体１の便鉢１１へは供給されない。
【００３６】
便鉢１１を通常モードで洗浄する場合について説明する。この場合には、使用者の便器洗浄用スイッチ９６の操作に基づいて、コントローラ９がモータ制御信号Ｓ１０をモータ駆動回路７１ｃに出力し、駆動装置７の電動モータ７１を駆動し、回転軸８３を回動させる。これにより第１カム８５のカム面がリム用の開閉弁４Ｒのシャフト４７を下方向に押圧し、リム用の開閉弁４Ｒを開弁させ、『リム給水』を行う。図３で説明すれば、バネ５２が弾性収縮し、ピストン４６は軸方向の他方向つまり矢印Ｙ２方向に移動する。これによりピストン４６は弁ハウジング４１の座面４１ｘから離座し、入水ポート４２と出水ポート４３とが連通する。このようにリム用の開閉弁４Ｒが開弁すると、洗浄水がリム用導管１９を介してリム通水路１２に供給され、便鉢１１のボウル部１０の内壁面が洗浄される。
【００３７】
カム装置８の駆動に伴い、第１カム８５のカム面がリム用の開閉弁４Ｒのシャフト４７を下方向に押圧しなくなり、リム用の開閉弁４Ｒが閉弁する。その後、第２カム８６のカム面がジェット用の開閉弁４Ｊのシャフト４７を下方向に押圧し、ジェット用の開閉弁４Ｊを開弁させて『ジェット給水』を行う。このようにジェット用の開閉弁４Ｊが開弁すると、洗浄水がジェット用導管１８を介してジェットノズル１５に供給され、トラップ部１４に強制的にサイホン作用が生じる。
【００３８】
次いで、カム装置８の駆動に伴い、第２カム８６のカム面がジェット用の開閉弁４Ｊのシャフト４７を下方向に押圧しなくなり、ジェット用の開閉弁４Ｊが閉弁する。その後、第１カム８５のカム面がリム用の開閉弁４Ｒのシャフト４７を再度下方向に押圧し、リム用の開閉弁４Ｒを再度開弁させて『リム給水』を行う。これにより洗浄水がリム用導管１９を介してリム通水路１２に供給され、便鉢１１のボウル部１０が封水される。
【００３９】
ところで、図２に示すように、電動モータ７１の故障や停電等で駆動装置７の電動モータ７１が作動しないときには、カバー３２から露出している手動ハンドル７５を使用者は操作する。すなわち、使用者が手動ハンドル７５を手動で揺動させると、カム装置８の回転軸８３が手動で回動し、第１カム８５、第２カム８６が回動する。これにより電動モータ７１が駆動する場合と同様に、リム用の開閉弁４Ｒを開弁させて『リム給水』を行い、洗浄水をリム用導管１９を介してリム通水路１２に供給し、便鉢１１のボウル部１０の内壁面を洗浄する。更に、手動操作に伴い、第２カム８６のカム面がジェット用の開閉弁４Ｊのシャフト４７を下方向に押圧し、ジェット用の開閉弁４Ｊを開弁させて『ジェット給水』を行い、洗浄水をジェット用導管１８を介してジェットノズル１５に供給し、トラップ部１４に強制的にサイホン作用を生じさせることができる。次いで、リム用の開閉弁４Ｒを再度開弁させて『リム給水』を行い、便鉢１１のボウル部１０を封水することができる。
【００４０】
このように手動ハンドル７５がカバー３２から露出するように設けられているため、非常時でないにもかかわらず、不慣れな使用者が用便後に非常用の手動ハンドル７５を誤って操作してしまうおそれがある。この点、この水洗式便器では、例え使用者が不慣れで、仮に他にある便器洗浄用スイッチ９６の存在に気づかない場合でも、使用者が手動ハンドル７７に軽く操作すれば、使用者が手動ハンドル７７へ接触したことをハンドルセンサ７７が検出する。これにより、コントローラ９がモータ駆動回路７１ｃを介して電動モータ７１を駆動させて手動ハンドル７５を揺動させ、便器本体１の便鉢１１の洗浄を行う。また、コントローラ９が電子音発生回路７２ｃを介して電子音発生装置７２を作動させ、断続した電子音を発生させる。
【００４１】
すなわち、図４に示すように、コントローラ９がモータ制御信号Ｓ１０をモータ駆動回路７１ｃに出力し、電動モータ７１を駆動して回転軸８３を回転駆動させる。また、コントローラ９が断続音発生信号Ｓ２０を電子音発生回路７２ｃに出力し、電子音発生装置７１を作動させ、断続した電子音を発生させる。つまり、使用者が指先で手動ハンドル７５を軽く触れれば、カム装置８の作動が電動モータ７１によりアシストされるとともに、断続した電子音が発生する。
【００４２】
この結果、上記と同様、第１カム８５がリム用の開閉弁４Ｒのシャフト４７を下方向に押圧し、リム用の開閉弁４Ｒが開弁して『リム給水』が行われる。次に、第１カム８５のカム面がリム用の開閉弁４Ｒのシャフト４７を下方向に押圧しなくなり、リム用の開閉弁４Ｒが閉弁する。その後、第２カム８６のカム面がジェット用の開閉弁４Ｊのシャフト４７を下方向に押圧し、ジェット用の開閉弁４Ｊが開弁し、前記した『ジェット給水』が行われる。次に、第２カム８６のカム面がジェット用の開閉弁４Ｊのシャフト４７を下方向に押圧しなくなり、ジェット用の開閉弁４Ｊが閉弁する。その後、第１カム８５のカム面がリム用の開閉弁４Ｒのシャフト４７を再度下方向に押圧し、リム用の開閉弁４Ｒが再度開弁し、『リム給水』が行われる。
【００４３】
この際、コントローラ９に内蔵されているＣＰＵは図５に示す制御フローチャートを実行する。すなわち、ステップＳ１０２では初期設定を行う。ステップＳ１０４では便器洗浄用スイッチ９６がオン操作されているか否か判定する。使用者が便器洗浄用スイッチ９６をオン操作していれば、使用者が通常洗浄モードで便器本体１の便鉢１１を洗浄する意思があることになる。次に、ステップＳ１０６でカム装置８の回転軸８３が原点位置であるか否か、つまり水抜きモードであるか否かを判定する。水抜きモードでなければ、ステップＳ１０８に進み、電動モータ７１を駆動させてカム装置８の回転軸８３、第１カム８５及び第２カム８６を回動させる。これにより前述したように『リム給水』→『ジェット給水』→『リム給水』の順に給水が実行され、便器本体１の便鉢１１のボウル部１０が洗浄される。その後、ステップＳ１０４に戻る。
【００４４】
水抜きモードは寒冷時において洗浄水の凍結を防止したい場合に採用される。このため、水抜きモードでは、止水栓１０２を閉じていることを条件としつつ開閉弁４Ｒ、４Ｊを微小量開弁することにより、開閉弁４Ｒ、４Ｊ等内に残留し得る洗浄水を排出する。なお、水抜きモードとして、開閉弁４Ｒ、４Ｊを常に微小量開弁しておき、単位時間あたり小量の洗浄水を便器本体１に連続的に流す流動モードを採用することもできる。
【００４５】
ステップＳ１０６での判定の結果、水抜きモードに設定されていれば、ステップＳ１０６からステップＳ１２０に進み、電動モータ７１を僅かに駆動させて回転軸８３をこれの原点位置まで復帰させる。このとき、戻り量をメモリ９３に記憶しておく。その後、ステップＳ１２２で電動モータ７１を更に駆動させて回転軸８３、第１カム８５及び第２カム８６を回動させる。これにより前述と同様、『リム給水』→『ジェット給水』→『リム給水』の順に給水が実行され、便器本体１の便鉢１１が洗浄される。その後、ステップＳ１２４に進み、記憶した戻り量分、電動モータ７１を逆回転させて水抜きモードに復帰させ、開閉弁４Ｒ、４Ｊを微小量開弁しておき、ステップＳ１０４に戻る。
【００４６】
ステップＳ１０４での判定の結果、便器洗浄用スイッチ９６がオフであれば、通常洗浄モードで便器本体１の便鉢１１を洗浄することは、要請されていない。そこで、ステップＳ１０４からステップＳ１３０に進み、使用者により手動ハンドル７５が接触操作されているか否か判定する。この判定は、手動ハンドル７５のハンドルセンサ７７からのタッチ信号に基づいて行われる。使用者により手動ハンドル７５が接触操作されていなければ、ステップＳ１３０からステップＳ１０４に戻る。
【００４７】
使用者により手動ハンドル７５が接触操作されていれば、ステップＳ１３２に進み、ステップＳ１３０の時点から所定時間ΔＴ１（例えば０．０２〜１秒の範囲）、手動ハンドル７５の接触操作が継続しているか否か判定する。手動ハンドル７５の操作が継続していれば、使用者が手動ハンドル７５を実際に接触操作している旨の判定精度が高まる。このため、ステップＳ１３２は、手動ハンドル７５の接触操作の有無を確認する確認手段として機能する。こうして、使用者による手動ハンドル７５の接触操作が継続していれば、ステップＳ１３４に進み、電子音を発生させるとともに所定時間ΔＴ２待機する。その後、ステップＳ１３６に進み、電動モータ７１を駆動させて第１カム８５及び第２カム８６を回動させる。これにより前述と同様、『リム給水』→『ジェット給水』→『リム給水』の順に給水が実行され、便器本体１の便鉢１１のボウル部１０が洗浄される。
【００４８】
こうして、このタンクレス便器では、手動ハンドル７５の揺動がアシストされ、便器本体１の洗浄が行われる。このため、この水洗式便器では、不慣れな使用者でも優れた操作性で便器本体１の洗浄が可能である。また、電子音の発生により手動ハンドル７５がアシストされることがわかるため、必要以上に手動ハンドル７５を回そうとすることもなく、誤動作や故障を防ぐことができる。
【００４９】
（実施形態２）
図６は実施形態２を示す。実施形態２は便器洗浄タンクを備えたタンク式水洗便器である。実施形態１と共通の機能を奏する部位には、共通の符号を付する。
【００５０】
便器本体１は、ボウル部をもつ便鉢１１と、便鉢１１の上部に揺動可能に枢支された便座１１ａ及び便蓋１１ｃと、便鉢１１の後部に設置された便器洗浄タンク１９とを備えている。便器洗浄タンク１９には、便器洗浄タンク１９内に貯留されている洗浄水を開弁時に便器本体１に供給する弁機構が装備されている。
【００５１】
便器洗浄タンク１９の側面には、便器洗浄タンク１９の弁機構に機械的に接続された手動ハンドル７５が揺動可能に設けられている。手動ハンドル７５が揺動されると、便器洗浄タンク１９の弁機構が開弁し、便器洗浄タンク１９内に貯留されている洗浄水が便器本体１の便鉢１０のボウル部に供給される。
【００５２】
手動ハンドル７５には、手動ハンドル７５の揺動を行う駆動装置７が接続されている。駆動装置７は便器洗浄タンク１９に保持されており、電動モータと、電動モータの回転速度を減速する減速ギヤとで構成されている。
【００５３】
手動ハンドル７５には、手動ハンドル７５への接触を検出する検出手段としてのハンドルセンサ７７が設けられている。駆動装置７の電動モータを制御するコントローラは、便器洗浄用スイッチ９６を備えた制御パネル９７に内蔵されている。
【００５４】
この実施形態２においても、使用者が手動ハンドル７５を軽く触れると、ハンドルセンサ７７がこれを検出し、コントローラが駆動装置７の電動モータを駆動させるとともに、断続した電子音が発生する。これにより、手動ハンドル７５が開弁方向に自動的に揺動し、便器本体１の便鉢１１のボウル部の洗浄が行われる。
【００５５】
したがって、実施形態２の水洗式便器も、電動モータにより手動ハンドル７５の揺動操作がアシストされて簡単化されるという利点が得られ、力がかなり弱っている老人や重病人は勿論のこと、通常人にとっても操作性が良いものとなっている。また、電動モータにより手動ハンドル７５の揺動操作がアシストされたことは、断続した電子音の発生によって使用者に知らされるため、使用者が必要以上に手動ハンドル７５を回そうとすることもなくなり、誤動作や故障を防ぐこともできる
【図面の簡単な説明】
【図１】実施形態１に係り、タンクレス式の水洗式便器の要部の断面図である。
【図２】実施形態１に係り、タンクレス式の水洗式便器の要部の斜視図である。
【図３】実施形態１に係り、カム装置が装備されたリム用開閉弁及びジェット用開閉弁の断面図である。
【図４】実施形態１に係り、コントローラを含む制御系のブロック図である。
【図５】実施形態１に係り、コントローラのＣＰＵが実行するフローチャートである。
【図６】実施形態２に係り、便器洗浄タンクを有する水洗式便器の斜視図である。
【符号の説明】
１…便器本体
７５…手動ハンドル
７７…ハンドルセンサ（検出手段）
７…駆動装置
９…コントローラ
１００…給水管
３…便器洗浄装置
【図１】
0003657862.tif 000002
【図２】
0003657862.tif 000003
【図３】
0003657862.tif 000004
【図４】
0003657862.tif 000005
【図５】
0003657862.tif 000006
【図６】
0003657862.tif 000007